(57)【特許請求の範囲】
【請求項１】
一方のパネルと他方のパネルとがヒンジ構造により連結され、一方のパネルと他方のパネルの連結側の端面をそれぞれパネルの表面縁から裏面縁にかけて傾斜する傾斜面として、一方のパネルと他方のパネルを互いの裏面を合わせたときに上記連結側の端面間に生じる空間に介在する支持体を備えており、一方のパネルの表面縁と支持体の表面縁との間、および他方のパネルの表面縁と支持体の表面縁との間をそれぞれヒンジで連結して成る折りたたみパネルを備えるカーゴフロアボックスであって、
開口端側内周には折りたたみパネルの支持部が形成されており、その前後部には前記折りたたみパネルを折りたたんで一部を開いた状態に係止する溝部が形成されていることを特徴とするカーゴフロアボックス。
【請求項２】
一方のパネル、支持体および他方のパネルは熱可塑性樹脂をブロー成形して成る中空二重壁構造であり、一方のパネルおよび他方のパネルを支持体にそれぞれ連結するヒンジは、ブロー成形により一体に圧縮薄肉化して形成されていることを特徴とする請求項１記載のカーゴフロアボックス。
【請求項３】
一方のパネル、支持体および他方のパネルの表面に、表皮材を貼着したことを特徴とする請求項１または２記載のカーゴフロアボックス。
【請求項４】
中空二重壁構造の一方のパネルおよび他方のパネルが、その表面壁と裏面壁とを中空部内でつなぐインナーリブを有していることを特徴とする請求項２または３記載のカーゴフロアボックス。
【発明の詳細な説明】
【０００１】
【発明の属する技術分野】
本発明は、自動車の内装用パネル、特に、自動車のリヤーパーセルシェルフ、カーゴフロアボックスの蓋体や、建築物の内装壁、パーティション、扉などの構成部材となる樹脂製の折りたたみパネルを備えるカーゴフロアボックスに関する。
【０００２】
【従来の技術】
従来から、この種の折りたたみパネルとしては、特開平１０−７１６５２号公報に記載されているものがあり、自動車のリヤーパーセルシェルフやカーゴフロアボックスのリッドなどを構成する折りたたみパネルは、その表面の感触を良好にして意匠的効果をもたせるため、パネルの表面に装飾布を貼っている。
【０００３】
【発明が解決しようとする課題】
ところで、自動車のリヤーパーセルシェルフやカーゴフロアボックスのリッドを構成する樹脂製パネルであって、中空二重壁構造のパネルをヒンジにより連結して折りたたみ構造としたものにおいては、連結するパネルの裏面端縁間または表面端縁間をヒンジで順次連結するが、裏面端縁間をヒンジで連結したパネルの端面は、折りたたんだ状態から開く過程でＶ形の溝となって現れる。このため、パネルを開いた状態で表面全体に表皮材を貼着することが難しく、また、パネルの表面全体に表皮材を貼着したとしても、パネルを開いたときに上記Ｖ形の溝の部分に表皮材が挟み込まれた状態となって、パネルが完全に開かなかったり表皮材が部分的に剥離するなどの不具合を生じる。
【０００４】
そこで、本発明は、一方のパネルと他方のパネルの連結側の端面をそれぞれパネルの表面縁から裏面縁にかけて傾斜する傾斜面として、一方のパネルと他方のパネルを互いの裏面を合わせたときに上記連結側の端面間に生じる空間に介在する支持体を備えており、一方のパネルの表面縁と支持体の表面縁との間、および他方のパネルの表面縁と支持体の表面縁との間をそれぞれヒンジで連結することにより、パネルを開いた状態でその表面が平坦面となるようにして表面全体に表皮材の貼着が容易にできるとともに、パネルが完全に開かなかったり表皮材が部分的で剥離するなどの不具合の生じない折りたたみパネルを備え、開口端側内周には折りたたみパネルの支持部を形成して、その前後部には折りたたみパネルを係止する溝部を形成したことにより、折りたたみパネルを折りたたんで一部を開いた状態に係止することができるカーゴフロアボックスを提供することを目的とするものである。
【０００５】
【課題を解決するための手段】
本発明は、上記目的を達成するため、請求項１ないし４に記載した折りたたみパネルを提供する。すなわち、請求項１は、一方のパネルと他方のパネルとがヒンジ構造により連結され、一方のパネルと他方のパネルの連結側の端面をそれぞれパネルの表面縁から裏面縁にかけて傾斜する傾斜面として、一方のパネルと他方のパネルを互いの裏面を合わせたときに上記連結側の端面間に生じる空間に介在する支持体を備えており、一方のパネルの表面縁と支持体の表面縁との間、および他方のパネルの表面縁と支持体の表面縁との間をそれぞれヒンジで連結して成る折りたたみパネルを備えるカーゴフロアボックスであって、開口端側内周には折りたたみパネルの支持部が形成されており、その前後部には前記折りたたみパネルを折りたたんで一部を開いた状態に係止する溝部が形成されていることを特徴とするカーゴフロアボックスである。
【０００６】
請求項２は、一方のパネル、支持体および他方のパネルは熱可塑性樹脂をブロー成形して成る中空二重壁構造であり、一方のパネルおよび他方のパネルを支持体にそれぞれ連結するヒンジは、ブロー成形により一体に圧縮薄肉化して形成されていることを特徴とする請求項１記載のカーゴフロアボックスである。
【０００７】
請求項３は、一方のパネル、支持体および他方のパネルの表面に、表皮材を貼着したことを特徴とする請求項１または２記載のカーゴフロアボックスである。
【０００８】
請求項４は、中空二重壁構造の一方のパネルおよび他方のパネルが、その表面壁と裏面壁とを中空部内でつなぐインナーリブを有していることを特徴とする請求項２または３記載のカーゴフロアボックスである。
【０００９】
【発明の実施の形態】
図面は本発明の一実施の形態を示し、図１は本発明に係るカーゴフロアボックスの斜視図、図２は図１のＡ−Ａ線矢視方向の断面図、図３は蓋体を裏面側からみた一部の斜視図である。
【００１０】
カーゴフロアボックス１に備える折りたたみパネル４は、一方のパネル２と他方のパネル３から成り、折りたたみパネル４は２つ並べて設けられている。５はカーゴフロアボックスの収納部である。折りたたみパネル４を構成する一方のパネル２および他方のパネル３は中空二重壁構造であり、その表面壁と裏面壁とを中空部内でつなぐインナーリブ６を有している。
【００１１】
一方のパネル２と他方のパネル３から成る折りたたみパネル４は、一方のパネル２と他方のパネル３の連結側の端面をそれぞれパネルの表面縁７から裏面縁８にかけて傾斜する傾斜面９，１０として、一方のパネル２と他方のパネル３を互いの裏面１１，１２を合わせたときに上記連結側の端面間に生じる空間１３に介在する支持体１４を備えており、一方のパネル２の表面縁７と支持体１４の表面縁１５との間、および他方のパネル３の表面縁７と支持体１４の表面縁１６との間をそれぞれ薄肉一体状のヒンジ１７，１８で連結して構成されている。支持体１４は中空二重壁構造である。
【００１２】
一方のパネル２、支持体１４および他方のパネル３から成る折りたたみパネル４は、熱可塑性樹脂をブロー成形により一体に成形され、ヒンジ１７，１８は、ブロー成形により圧縮薄肉化して一体に形成されたものである。折りたたみパネル４には、その表面全体に表皮材１９が貼着されている。表皮材１９はブロー成形時に折りたたみパネル４の表面に一体に貼着するか、二次加工により貼着する。
【００１３】
図２に示すように、カーゴフロアボックスに備える折りたたみパネル４は、２つ並べて設けられるが、カーゴフロアボックスの開口端側内周には蓋体１の支持部２０が形成されており、その前後部には折りたたみパネル４を折りたたんで一部を開いた状態に係止する溝部２１が形成されている。この溝部２１は複数適当な間隔で形成しておくことにより、２つの折りたたみパネル４，４の開き状態を物品の出し入れに応じて変えることができて便利である。
【００１４】
本発明に係る折りたたみパネル４を構成する熱可塑性プラスチックは、ブロー成形が可能なものであればよいが、ポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、さらには、ポリカーボネート樹脂、変性ポリフェニレンエーテル等のエンジニアリング・プラスチックなどが好適である。
【００１５】
また、本発明において表皮材２１は、綿、麻、羊毛、絹等の天然繊維、ビスコースレーヨン、銅アンモニアレーヨン等の再生繊維、アセテート、レーヨン、ナイロン等の合成繊維、これらのブレンド繊維を加工して得られる編物、織物、不織布や起毛した布地や剪毛した布地であり、またさらに、上記基材に接着性などを有する合成樹脂からなるスキン層を形成したものであってもよい。
【００１６】
【発明の効果】
本発明によれば、一方のパネルと他方のパネルの連結側の端面をそれぞれパネルの表面縁から裏面縁にかけて傾斜する傾斜面として、一方のパネルと他方のパネルを互いの裏面を合わせたときに上記連結側の端面間に生じる空間に介在する支持体を備えており、一方のパネルの表面縁と支持体の表面縁との間、および他方のパネルの表面縁と支持体の表面縁との間をそれぞれヒンジで連結することにより、パネルを開いた状態でその表面が平坦面となるようにして表面全体に表皮材の貼着が容易にできるとともに、パネルが完全に開かなかったり表皮材が部分的で剥離するなどの不具合の生じない折りたたみパネルを備え、開口端側内周には折りたたみパネルの支持部を形成して、その前後部には折りたたみパネルを係止する溝部を形成したことにより、折りたたみパネルを折りたたんで一部を開いた状態に係止することができるカーゴフロアボックスを得ることができる。
【図面の簡単な説明】
【図１】  本発明に係るカーゴフロアボックスの斜視図である。
【図２】  図１のＡ−Ａ線矢視方向の断面図である。
【図３】  折りたたみパネルを裏面側からみた一部の斜視図である。
【符号の説明】
１  カーゴフロアボックス
２  一方のパネル
３  他方のパネル
４  折りたたみパネル
５  カーゴフロアボックスの収納部
６  インナーリブ
７  表面縁
８  裏面縁
９，１０  傾斜面
１１，１２  裏面
１３  空間
１４  支持体
１５  表面縁
１６  表面縁
１７，１８  ヒンジ
１９  表皮材
２０  支持部
２１  溝部
【図１】
0004550238.tif 000002
【図２】
0004550238.tif 000003
【図３】
0004550238.tif 000004